【手続補正書】
【提出日】平成17年5月11日(2005.5.11)
【手続補正１】
【補正対象書類名】明細書
【補正対象項目名】特許請求の範囲
【補正方法】変更
【補正の内容】
【特許請求の範囲】
【請求項１】
ホログラフィを利用して情報が記録されると共に一方の面側より情報を記録または再生するための光が照射される情報記録層と、この情報記録層の他方の面側に配置された反射面とを備えた記録媒体に対して情報を記録するための光情報記録装置であって、
情報を担持した情報光を生成する情報光生成手段と、
記録用参照光を生成する記録用参照光生成手段と、
前記情報記録層に情報光と記録用参照光との干渉による干渉パターンによって情報が記録されるように、前記情報光生成手段によって生成された情報光と前記記録用参照光生成手段によって生成された記録用参照光とを前記情報記録層に照射する記録光学系とを備え、
前記記録光学系は、前記情報光および前記記録用参照光を、前記情報記録層に対して前記一方の面側より同軸的に、且つ前記反射面から離れた同一の位置で最も小径になって収束するように照射することを特徴とする光情報記録装置。
【請求項２】
前記情報光及び前記記録用参照光は、反射面に入射する前の情報光と反射面で反射された後の記録用参照光との干渉によって干渉パターンが形成され、反射面で反射された後の情報光と反射面に入射する前の記録用参照光との干渉によって干渉パターンが形成されることを特徴とする請求項１記載の光情報記録装置。
【請求項３】
前記記録光学系は、前記情報記録層内の同じ領域において、反射面に入射する前の情報光と反射面で反射された後の記録用参照光の偏光方向が一致し、反射面に入射する前の記録用参照光と反射面で反射された後の情報光の偏光方向が一致するように、情報光と記録用参照光のそれぞれについて、光束の断面を２分割した各領域毎に偏光方向を異ならせることを特徴とする請求項１または２記載の光情報記録装置。
【請求項４】
前記記録光学系は、通過する光を前記各領域毎に異なる方向に旋光する旋光手段を有し、所定の第１の偏光方向の記録用参照光と、前記第１の偏光方向とは異なる第２の偏光方向の情報光とを、それぞれ、前記旋光手段によって旋光して、前記各領域毎に偏光方向を異ならせることを特徴とする請求項３記載の光情報記録装置。
【請求項５】
前記記録媒体に対する前記情報光および記録用参照光の位置を制御するために用いられる位置制御用光を、前記反射面上で最も小径になって収束するように、前記記録媒体に照射すると共に、前記反射面で反射された位置制御用光を受光して、位置制御情報を生成する位置制御情報生成手段と、
前記位置制御情報生成手段によって生成された位置制御情報に基づいて、前記記録媒体に対する前記情報光および記録用参照光の位置を制御する位置制御手段とを備えたことを特徴とする請求項１ないし４のいずれかに記載の光情報記録装置。
【請求項６】
前記位置制御手段は、前記情報光および記録用参照光の位置を前記記録媒体の移動に追従するように制御することを特徴とする請求項５記載の光情報記録装置。
【請求項７】
前記情報光および記録用参照光は所定の第１の波長を有し、前記位置制御用光は前記第１の波長とは異なる第２の波長を有することを特徴とする請求項５または６記載の光情報記録装置。
【請求項８】
ホログラフィを利用して情報が記録されると共に一方の面側より情報を記録または再生するための光が照射される情報記録層と、この情報記録層の他方の面側に配置された反射面とを備えた記録媒体に対して情報を記録する光情報記録方法であって、
情報を担持した情報光を生成する手順と、
記録用参照光を生成する手順と、
前記情報記録層に情報光と記録用参照光との干渉による干渉パターンによって情報が記録されるように、前記情報光と前記記録用参照光とを前記情報記録層に照射する記録手順とを備え、
前記記録手順は、前記情報光および前記記録用参照光を、前記情報記録層に対して前記一方の面側より同軸的に、且つ前記反射面から離れた同一の位置で最も小径になって収束するように照射することを特徴とする光情報記録方法。
【請求項９】
前記情報光及び前記記録用参照光は、反射面に入射する前の情報光と反射面で反射された後の記録用参照光との干渉によって干渉パターンが形成され、反射面で反射された後の情報光と反射面に入射する前の記録用参照光との干渉によって干渉パターンが形成されることを特徴とする請求項８記載の光情報記録方法。
【請求項１０】
前記記録媒体に対する前記情報光および記録用参照光の位置を制御するために用いられる位置制御用光を、前記反射面上で最も小径になって収束するように、前記記録媒体に照射すると共に、前記反射面で反射された位置制御用光を受光して、位置制御情報を生成する手順と、
前記位置制御情報に基づいて、前記記録媒体に対する前記情報光および記録用参照光の位置を制御する手順とを備えたことを特徴とする請求項８または９記載の光情報記録方法。
【請求項１１】
前記位置制御情報に基づいて、前記情報光および記録用参照光の位置を前記記録媒体の移動に追従するように制御することを特徴とする請求項１０記載の光情報記録方法。
【請求項１２】
前記情報光および記録用参照光は所定の第１の波長を有し、前記位置制御用光は前記第１の波長とは異なる第２の波長を有することを特徴とする請求項１０または１１記載の光情報記録方法。
【請求項１３】
ホログラフィを利用して情報が記録されると共に一方の面側より情報を記録または再生するための光が照射される情報記録層と、この情報記録層の他方の面側に配置された反射面とを備え、前記情報記録層には、前記一方の面側より同軸的に、且つ前記反射面から離れた同一の位置で最も小径になって収束するように照射された情報光および記録用参照光の干渉による干渉パターンによって情報が記録された記録媒体より、ホログラフィを利用して情報を再生するための光情報再生装置であって、
再生用参照光を生成する再生用参照光生成手段と、
前記再生用参照光生成手段によって生成された再生用参照光を前記情報記録層に対して照射すると共に、再生用参照光が照射されることによって前記情報記録層より発生される再生光を収集する再生光学系と、
前記再生光学系によって収集された再生光を検出する検出手段とを備え、
前記再生光学系は、前記情報光および前記記録用参照光が最も小径になって収束する位置と同じ位置で、最も小径になって収束するように前記再生用参照光を情報記録層に照射すると共に、前記再生用参照光および前記再生光が同軸的に配置されるように、前記再生用参照光の照射と前記再生光の収集とを前記一方の面側より行うことを特徴とする光情報再生装置。
【請求項１４】
前記再生光学系は、通過する光を、光束の断面を２分割した各領域毎に異なる方向に旋光する旋光手段を有し、所定の第１の偏光方向の再生用参照光を、前記旋光手段によって旋光して、前記各領域毎に偏光方向が異なる再生用参照光に変換して情報記録層に照射すると共に、再生光と反射面で反射された再生用参照光による戻り光とを、前記旋光手段によって旋光して、光束の断面全体について前記第１の偏光方向となる再生光と光束の断面全体について前記第１の偏光方向とは異なる第２の偏光方向となる戻り光とに変換することを特徴とする請求項１３記載の光情報再生装置。
【請求項１５】
前記再生光学系は、更に、偏光方向の違いによって、前記旋光手段を通過した後の再生光と、前記旋光手段を通過した後の戻り光とを分離する偏光分離手段を有することを特徴とする請求項１４記載の光情報再生装置。
【請求項１６】
更に、前記記録媒体に対する前記再生用参照光の位置を制御するために用いられる位置制御用光を、前記反射面上で最も小径になって収束するように、前記記録媒体に照射すると共に、前記反射面で反射された位置制御用光を受光して、位置制御情報を生成する位置制御情報生成手段と、
前記位置制御情報生成手段によって生成された位置制御情報に基づいて、前記記録媒体に対する前記再生用参照光の位置を制御する位置制御手段とを備えたことを特徴とする請求項１３ないし１５のいずれかに記載の光情報再生装置。
【請求項１７】
前記位置制御手段は、前記再生用参照光の位置を前記記録媒体の移動に追従するように制御することを特徴とする請求項１６記載の光情報再生装置。
【請求項１８】
前記再生用参照光は所定の第１の波長を有し、前記位置制御用光は前記第１の波長とは異なる第２の波長を有することを特徴とする請求項１６または１７記載の光情報再生装置。
【請求項１９】
ホログラフィを利用して情報が記録されると共に一方の面側より情報を記録または再生するための光が照射される情報記録層と、この情報記録層の他方の面側に配置された反射面とを備え、前記情報記録層には、前記一方の面側より同軸的に、且つ前記反射面から離れた同一の位置で最も小径になって収束するように照射された情報光および記録用参照光の干渉による干渉パターンによって情報が記録された記録媒体より、ホログラフィを利用して情報を再生する光情報再生方法であって、
再生用参照光を生成する手順と、
再生用参照光を前記情報記録層に対して照射すると共に、再生用参照光が照射されることによって前記情報記録層より発生される再生光を収集する再生手順と、
前記再生光を検出する手順とを備え、
前記再生手順は、前記情報光および記録用参照光が最も小径になって収束する位置と同じ位置で、最も小径になって収束するように前記再生用参照光を前記情報記録層に照射すると共に、前記再生用参照光および前記再生光が同軸的に配置されるように、前記再生用参照光の照射と前記再生光の収集とを一方の面側より行うことを特徴とする光情報再生方法。
【請求項２０】
前記記録媒体に対する前記再生用参照光の位置を制御するために用いられる位置制御用光を、前記反射面上で最も小径になって収束するように、前記記録媒体に照射すると共に、前記反射面で反射された位置制御用光を受光して、位置制御情報を生成する手順と、
前記位置制御情報に基づいて、前記記録媒体に対する前記再生用参照光の位置を制御する手順とを備えたことを特徴とする請求項１９記載の光情報再生方法。
【請求項２１】
前記位置制御情報に基づいて、前記再生用参照光の位置を前記記録媒体の移動に追従するように制御することを特徴とする請求項２０記載の光情報再生方法。
【請求項２２】
前記再生用参照光は所定の第１の波長を有し、前記位置制御用光は前記第１の波長とは異なる第２の波長を有することを特徴とする請求項２０または２１記載の光情報再生方法。
【請求項２３】
ホログラフィを利用して情報が記録されると共に一方の面側より情報を記録または再生するための光が照射される情報記録層と、この情報記録層の他方の面側に配置された反射面とを備えた記録媒体に対して情報を記録すると共に、記録媒体より情報を再生するための光情報記録再生装置であって、
情報を担持した情報光を生成する情報光生成手段と、
記録用参照光を生成する記録用参照光生成手段と、
再生用参照光を生成する再生用参照光生成手段と、
情報の記録時には、前記情報記録層に情報光と記録用参照光との干渉による干渉パターンによって情報が記録されるように、前記情報光生成手段によって生成された情報光と前記記録用参照光生成手段によって生成された記録用参照光とを前記情報記録層に照射し、情報の再生時には、前記再生用参照光生成手段によって生成された再生用参照光を前記情報記録層に対して照射すると共に、再生用参照光が照射されることによって前記情報記録層より発生される再生光を収集する記録再生光学系と、
前記記録再生光学系によって収集された再生光を検出する検出手段とを備え、
前記記録再生光学系は、情報の記録時には、前記情報光および前記記録用参照光を、前記情報記録層に対して前記一方の面側より同軸的に、且つ前記反射面から離れた同一の位置で最も小径になって収束するように照射し、情報の再生時には、前記情報光および記録用参照光が最も小径になって収束する位置と同じ位置で、最も小径になって収束するように前記再生用参照光を前記情報記録層に照射すると共に、前記再生用参照光および前記再生光が同軸的に配置されるように、前記再生用参照光の照射と前記再生光の収集とを前記一方の面側より行うことを特徴とする光情報記録再生装置。
【請求項２４】
前記情報光及び前記記録用参照光は、反射面に入射する前の情報光と反射面で反射された後の記録用参照光との干渉によって干渉パターンが形成され、反射面で反射された後の情報光と反射面に入射する前の記録用参照光との干渉によって干渉パターンが形成されることを特徴とする請求項２３記載の光情報記録再生装置。
【請求項２５】
前記記録再生光学系は、通過する光を、光束の断面を２分割した各領域毎に異なる方向に旋光する旋光手段を有し、
前記記録再生光学系は、情報の記録時には、所定の第１の偏光方向の記録用参照光と、前記第１の偏光方向とは異なる第２の偏光方向の情報光とを、それぞれ、前記旋光手段によって旋光して、前記情報記録層内の同じ領域において、反射面に入射する前の情報光と反射面で反射された後の記録用参照光の偏光方向が一致し、反射面に入射する前の記録用参照光と反射面で反射された後の情報光の偏光方向が一致するように、情報光と記録用参照光のそれぞれについて、前記各領域毎に偏光方向を異ならせ、
前記記録再生光学系は、情報の再生時には、前記第１の偏光方向の再生用参照光を、前記旋光手段によって旋光して、前記各領域毎に偏光方向が異なる再生用参照光に変換して情報記録層に照射すると共に、再生光と反射面で反射された再生用参照光による戻り光とを、前記旋光手段によって旋光して、光束の断面全体について前記第１の偏光方向となる再生光と光束の断面全体について前記第１の偏光方向とは異なる第２の偏光方向となる戻り光とに変換することを特徴とする請求項２３または２４記載の光情報記録再生装置。
【請求項２６】
前記記録再生光学系は、更に、偏光方向の違いによって、前記旋光手段を通過した後の再生光と、前記旋光手段を通過した後の戻り光とを分離する偏光分離手段を有することを特徴とする請求項２５記載の光情報記録再生装置。
【請求項２７】
更に、前記記録媒体に対する前記情報光、記録用参照光および再生用参照光の位置を制御するために用いられる位置制御用光を、前記反射面上で最も小径になって収束するように、前記記録媒体に照射すると共に、前記反射面で反射された位置制御用光を受光して、位置制御情報を生成する位置制御情報生成手段と、
前記位置制御情報生成手段によって生成された位置制御情報に基づいて、前記記録媒体に対する前記情報光、記録用参照光および再生用参照光の位置を制御する位置制御手段とを備えたことを特徴とする請求項２３ないし２６のいずれかに記載の光情報記録再生装置。
【請求項２８】
前記位置制御手段は、前記情報光、記録用参照光および再生用参照光の位置を前記記録媒体の移動に追従するように制御することを特徴とする請求項２７記載の光情報記録再生装置。
【請求項２９】
前記情報光、記録用参照光および再生用参照光は所定の第１の波長を有し、前記位置制御用光は前記第１の波長とは異なる第２の波長を有することを特徴とする請求項２７または２８記載の光情報記録再生装置。
【請求項３０】
ホログラフィを利用して情報が記録されると共に一方の面側より情報を記録または再生するための光が照射される情報記録層と、この情報記録層の他方の面側に配置された反射面とを備えた記録媒体に対して情報を記録すると共に、記録媒体より情報を再生する光情報記録再生方法であって、
情報を担持した情報光を生成する手順と、
記録用参照光を生成する手順と、
前記情報記録層に情報光と記録用参照光との干渉による干渉パターンによって情報が記録されるように、前記情報光と前記記録用参照光とを前記情報記録層に照射する記録手順と、
再生用参照光を生成する手順と、
前記再生用参照光を前記情報記録層に対して照射すると共に、再生用参照光が照射されることによって前記情報記録層より発生される再生光を収集する再生手順と、
前記再生光を検出する手順とを備え、
前記記録手順は、前記情報光および前記記録用参照光を、前記情報記録層に対して前記一方の面側より同軸的に、且つ前記反射面から離れた同一の位置で最も小径になって収束するように照射し、
前記再生手順は、前記情報光および記録用参照光が最も小径になって収束する位置と同じ位置で、最も小径になって収束するように再生用参照光を情報記録層に照射すると共に、再生用参照光および再生光が同軸的に配置されるように、再生用参照光の照射と再生光の収集とを前記一方の面側より行うことを特徴とする光情報記録再生方法。
【請求項３１】
前記情報光及び前記記録用参照光は、反射面に入射する前の情報光と反射面で反射された後の記録用参照光との干渉によって干渉パターンが形成され、反射面で反射された後の情報光と反射面に入射する前の記録用参照光との干渉によって干渉パターンが形成されることを特徴とする請求項３０記載の光情報記録再生方法。
【手続補正２】
【補正対象書類名】明細書
【補正対象項目名】００１２
【補正方法】変更
【補正の内容】
【００１２】
【課題を解決するための手段】
本発明の光情報記録装置は、ホログラフィを利用して情報が記録されると共に一方の面側より情報を記録または再生するための光が照射される情報記録層と、この情報記録層の他方の面側に配置された反射面とを備えた記録媒体に対して情報を記録するための装置であって、情報を担持した情報光を生成する情報光生成手段と、記録用参照光を生成する記録用参照光生成手段と、情報記録層に情報光と記録用参照光との干渉による干渉パターンによって情報が記録されるように、情報光生成手段によって生成された情報光と記録用参照光生成手段によって生成された記録用参照光とを情報記録層に照射する記録光学系とを備え、記録光学系は、情報光および記録用参照光を、情報記録層に対して一方の面側より同軸的に、且つ反射面から離れた同一の位置で最も小径になって収束するように照射するものである。
【手続補正３】
【補正対象書類名】明細書
【補正対象項目名】００１３
【補正方法】変更
【補正の内容】
【００１３】
本発明の光情報記録方法は、ホログラフィを利用して情報が記録されると共に一方の面側より情報を記録または再生するための光が照射される情報記録層と、この情報記録層の他方の面側に配置された反射面とを備えた記録媒体に対して情報を記録する方法であって、情報を担持した情報光を生成する手順と、記録用参照光を生成する手順と、情報記録層に情報光と記録用参照光との干渉による干渉パターンによって情報が記録されるように、情報光と記録用参照光とを情報記録層に照射する記録手順とを備え、記録手順は、情報光および記録用参照光を、情報記録層に対して一方の面側より同軸的に、且つ反射面から離れた同一の位置で最も小径になって収束するように照射するものである。
【手続補正４】
【補正対象書類名】明細書
【補正対象項目名】００１６
【補正方法】変更
【補正の内容】
【００１６】
また、本発明の光情報記録装置は、更に、記録媒体に対する情報光および記録用参照光の位置を制御するために用いられる位置制御用光を、反射面上で最も小径になって収束するように、記録媒体に照射すると共に、反射面で反射された位置制御用光を受光して、位置制御情報を生成する位置制御情報生成手段と、位置制御情報生成手段によって生成された位置制御情報に基づいて、記録媒体に対する情報光および記録用参照光の位置を制御する位置制御手段とを備えていてもよい。この場合、位置制御手段は、情報光および記録用参照光の位置を記録媒体の移動に追従するように制御してもよい。また、情報光および記録用参照光は所定の第１の波長を有し、位置制御用光は第１の波長とは異なる第２の波長を有していてもよい。
【手続補正５】
【補正対象書類名】明細書
【補正対象項目名】００１７
【補正方法】変更
【補正の内容】
【００１７】
本発明の光情報再生装置は、ホログラフィを利用して情報が記録されると共に一方の面側より情報を記録または再生するための光が照射される情報記録層と、この情報記録層の他方の面側に配置された反射面とを備え、情報記録層には、一方の面側より同軸的に、且つ反射面から離れた同一の位置で最も小径になって収束するように照射された情報光および記録用参照光の干渉による干渉パターンによって情報が記録された記録媒体より、ホログラフィを利用して情報を再生するための装置であって、再生用参照光を生成する再生用参照光生成手段と、再生用参照光生成手段によって生成された再生用参照光を情報記録層に対して照射すると共に、再生用参照光が照射されることによって情報記録層より発生される再生光を収集する再生光学系と、再生光学系によって収集された再生光を検出する検出手段とを備え、再生光学系は、情報光および記録用参照光が最も小径になって収束する位置と同じ位置で、最も小径になって収束するように再生用参照光を情報記録層に照射と共に、再生用参照光および再生光が同軸的に配置されるように、再生用参照光の照射と再生光の収集とを一方の面側より行うものである。
【手続補正６】
【補正対象書類名】明細書
【補正対象項目名】００１８
【補正方法】変更
【補正の内容】
【００１８】
本発明の光情報再生方法は、ホログラフィを利用して情報が記録されると共に一方の面側より情報を記録または再生するための光が照射される情報記録層と、この情報記録層の他方の面側に配置された反射面とを備え、情報記録層には、一方の面側より同軸的に、且つ反射面から離れた同一の位置で最も小径になって収束するように照射された情報光および記録用参照光の干渉による干渉パターンによって情報が記録された記録媒体より、ホログラフィを利用して情報を再生する方法であって、再生用参照光を生成する手順と、再生用参照光を情報記録層に対して照射すると共に、再生用参照光が照射されることによって情報記録層より発生される再生光を収集する再生手順と、再生光を検出する手順とを備え、再生手順は、情報光および記録用参照光が最も小径になって収束する位置と同じ位置で、最も小径になって収束するように再生用参照光を情報記録層に照射すると共に、再生用参照光および再生光が同軸的に配置されるように、再生用参照光の照射と再生光の収集とを一方の面側より行うものである。
【手続補正７】
【補正対象書類名】明細書
【補正対象項目名】００２１
【補正方法】変更
【補正の内容】
【００２１】
また、本発明の光情報再生装置は、更に、記録媒体に対する再生用参照光の位置を制御するために用いられる位置制御用光を、反射面上で最も小径になって収束するように、記録媒体に照射すると共に、反射面で反射された位置制御用光を受光して、位置制御情報を生成する位置制御情報生成手段と、位置制御情報生成手段によって生成された位置制御情報に基づいて、記録媒体に対する再生用参照光の位置を制御する位置制御手段とを備えていてもよい。この場合、位置制御手段は、再生用参照光の位置を記録媒体の移動に追従するように制御してもよい。また、再生用参照光は所定の第１の波長を有し、位置制御用光は第１の波長とは異なる第２の波長を有していてもよい。
【手続補正８】
【補正対象書類名】明細書
【補正対象項目名】００２３
【補正方法】変更
【補正の内容】
【００２３】
記録再生光学系は、情報の記録時には、情報光および記録用参照光を、情報記録層に対して一方の面側より同軸的に、且つ反射面から離れた同一の位置で最も小径になって収束するように照射する。
【手続補正９】
【補正対象書類名】明細書
【補正対象項目名】００２６
【補正方法】変更
【補正の内容】
【００２６】
記録手順は、情報光および記録用参照光を、情報記録層に対して一方の面側より同軸的に、且つ反射面から離れた同一の位置で最も小径になって収束するように照射する。
【手続補正１０】
【補正対象書類名】明細書
【補正対象項目名】００２９
【補正方法】変更
【補正の内容】
【００２９】
本発明の光情報記録再生装置は、更に、記録媒体に対する情報光、記録用参照光および再生用参照光の位置を制御するために用いられる位置制御用光を、反射面上で最も小径になって収束するように、記録媒体に照射すると共に、反射面で反射された位置制御用光を受光して、位置制御情報を生成する位置制御情報生成手段と、位置制御情報生成手段によって生成された位置制御情報に基づいて、記録媒体に対する情報光、記録用参照光および再生用参照光の位置を制御する位置制御手段とを備えていてもよい。この場合、位置制御手段は、前記情報光、記録用参照光および再生用参照光の位置を前記記録媒体の移動に追従するように制御してもよい。また、情報光、記録用参照光および再生用参照光は所定の第１の波長を有し、位置制御用光は第１の波長とは異なる第２の波長を有していてもよい。
【手続補正１１】
【補正対象書類名】明細書
【補正対象項目名】００３２
【補正方法】変更
【補正の内容】
【００３２】
図５には、記録媒体１における１つのトラックの一部を示している。記録媒体１は、円板状をなし、複数のトラックＴＲを有している。各トラックＴＲには、複数のアドレス・サーボ領域６が等間隔に設けられている。隣り合うアドレス・サーボ領域６間には、１つまたは複数の情報記録領域７が設けられている。図５には、隣り合うアドレス・サーボ領域６間に４つの情報記録領域７が等間隔に設けられている例を示す。
【手続補正１２】
【補正対象書類名】明細書
【補正対象項目名】００８８
【補正方法】変更
【補正の内容】
【００８８】
一方、旋光板３２Ｒを通過した後、記録媒体１に入射した再生用参照光７１Ｒは、反射面５ａで反射されて、記録媒体１より出射され、旋光板３２Ｌを通過してＳ偏光の戻り光に変換される。また、旋光板３２Ｌを通過した後、記録媒体１に入射した再生用参照光７１Ｌは、反射面５ａで反射されて、記録媒体１より出射され、旋光板３２Ｒを通過してＳ偏光の戻り光に変換される。このように、２分割旋光板３２を通過した後の戻り光は、光束の断面全体についてＳ偏光となる。この戻り光は、偏光ビームスプリッタ２５の偏光ビームスプリッタ面２５ａで反射されるため、固体撮像素子３９には入射しない。
【手続補正１３】
【補正対象書類名】明細書
【補正対象項目名】００９２
【補正方法】変更
【補正の内容】
【００９２】
次に、図１１を参照して、情報の記録時における光ヘッド１１の動作について説明する。図１１は、情報の記録時におけるトラックＴＲの動きと情報光および記録用参照光の照射位置１０１の動きとを示している。図１１において、記号Ｒは、記録媒体１の移動方向を表している。なお、図１１では、便宜上、照射位置１０１をトラックＴＲに重ならないように表しているが、実際には、照射位置１０１はトラックＴＲに重なる。
【手続補正１４】
【補正対象書類名】明細書
【補正対象項目名】０１１４
【補正方法】変更
【補正の内容】
【０１１４】
【発明の効果】
以上説明したように、本発明の光情報記録装置または光情報記録方法では、情報光と記録用参照光は、記録媒体の情報記録層に対して一方の面側より同軸的に、且つ反射面から離れた同一の位置で最も小径になって収束するように照射される。また、本発明では、情報光は、光束の断面の全体を用いて情報を担持することができる。また、本発明では、情報の再生時において、記録時における情報光のパターンと同一のパターンと、その鏡像パターンとが同時に発生することを防止することができる。これらのことから、本発明によれば、ホログラフィを利用して情報の記録を行うことができると共に、情報量を減少させることなく記録のための光学系を小さく構成することが可能になるという効果を奏する。
【手続補正１５】
【補正対象書類名】明細書
【補正対象項目名】０１１５
【補正方法】変更
【補正の内容】
【０１１５】
また、本発明の光情報記録装置では、位置制御用光を、記録媒体の反射面上で最も小径になって収束するように記録媒体に照射すると共に、反射面で反射された位置制御用光を受光して位置制御情報を生成し、この位置制御情報に基づいて記録媒体に対する情報光および記録用参照光の位置を制御する。従って、本発明によれば、情報光および記録用参照光と記録媒体との位置関係を一定に保つことができるという効果を奏する。
【手続補正１６】
【補正対象書類名】明細書
【補正対象項目名】０１１６
【補正方法】変更
【補正の内容】
【０１１６】
本発明の光情報再生装置または光情報再生方法では、再生用参照光は、情報光および記録用参照光が最も小径になって収束する位置と同じ位置、すなわち反射面から離れた位置で、最も小径になって収束するように情報記録層に照射される。そして、情報記録層より発生される再生光が収集され、検出される。本発明では、再生用参照光の照射と再生光の収集とが、記録媒体の情報記録層の一方の面側より行われ、且つ再生用参照光および再生光が同軸的に配置される。また、本発明では、情報光は光束の断面の全体を用いて情報を担持することができ、同様に、再生光も光束の断面の全体を用いて情報を担持することができる。また、本発明では、情報の再生時において、記録時における情報光のパターンと同一のパターンと、その鏡像パターンとが同時に発生することを防止することができる。これらのことから、本発明によれば、ホログラフィを利用して情報の再生を行うことができると共に、情報量を減少させることなく再生のための光学系を小さく構成することが可能になるという効果を奏する。
【手続補正１７】
【補正対象書類名】明細書
【補正対象項目名】０１１７
【補正方法】変更
【補正の内容】
【０１１７】
また、本発明の光情報再生装置では、位置制御用光を、記録媒体の反射面上で最も小径になって収束するように記録媒体に照射すると共に、反射面で反射された位置制御用光を受光して位置制御情報を生成し、この位置制御情報に基づいて記録媒体に対する再生用参照光の位置を制御する。従って、本発明によれば、再生用参照光と記録媒体との位置関係を一定に保つことができるという効果を奏する。
【手続補正１８】
【補正対象書類名】明細書
【補正対象項目名】０１１８
【補正方法】変更
【補正の内容】
【０１１８】
本発明の本発明の光情報記録再生装置または光情報記録再生方法によれば、上記の光情報記録装置または光情報記録方法と同様の作用と、上記の光情報再生装置または光情報再生方法の同様の作用により、ホログラフィを利用して情報の記録および再生を行うことができると共に、情報量を減少させることなく記録および再生のための光学系を小さく構成することが可能になるという効果を奏する。
【手続補正１９】
【補正対象書類名】明細書
【補正対象項目名】０１１９
【補正方法】変更
【補正の内容】
【０１１９】
また、本発明の光情報記録再生装置では、位置制御用光を、記録媒体の反射面上で最も小径になって収束するように記録媒体に照射すると共に、反射面で反射された位置制御用光を受光して位置制御情報を生成し、この位置制御情報に基づいて記録媒体に対する情報光、記録用参照光および再生用参照光の位置を制御する。従って、本発明によれば、情報光、記録用参照光および再生用参照光と記録媒体との位置関係を一定に保つことができるという効果を奏する。